【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
送信器の媒体アクセス制御エンティティにおいて、論理チャネルの各データユニットを、優先度識別番号を有しない、論理チャネルに固有のシーケンス番号に関連付ける段階、を含むことを特徴とする方法。
【請求項２】
前記送信器においてシーケンス番号に関連付けられた少なくとも１つの論理チャネルの前記データユニットを、受信器において受信する段階と、
前記データユニットに関連付けられた前記シーケンス番号の順序に、各論理チャネルの前記データユニットを並べる段階と、
をさらに含む、請求項１に記載の方法。
【請求項３】
１つの送信時間区間のデータユニットを連続するシーケンス番号に関連付ける段階と、
連続する送信時間区間におけるデータユニットを連続するシーケンス番号に関連付ける段階と、
をさらに含む、請求項１に記載の方法。
【請求項４】
媒体アクセス制御-ｅエンティティにおいて、媒体アクセス制御-ｄエンティティからの媒体アクセス制御-ｅフローをトランスポートチャネルにマッピングする段階と、
データユニットを、前記媒体アクセス制御-ｄエンティティ及び前記媒体アクセス-ｅエンティティに共通のシーケンス番号に関連付ける段階と、
さらに含む、請求項１に記載の方法。
【請求項５】
論理チャネルにおいて、共通の送信シーケンス番号を有する第１の媒体アクセス制御エンティティのプロトコルデータユニットの送信シーケンスに関する情報を、前記第１の媒体アクセス制御エンティティの下に位置する第２の媒体アクセス制御エンティティのヘッダに付加する段階をさらに含む、請求項１に記載の方法。
【請求項６】
拡張されたアップリンク個別チャネルを用いて前記データユニットを送信する段階をさらに含む、請求項１に記載の方法。
【請求項７】
１つの送信時間区間内に送信すべき論理チャネルの各データユニットを、前記送信器の媒体アクセス制御エンティティ、無線リンク制御エンティティ、又は、該無線リンク制御エンティティと該媒体アクセス制御エンティティとの間のエンティティにおいて、１つのシーケンス番号に関連付ける段階、をさらに含む、請求項１に記載の方法。
【請求項８】
無線リンク制御エンティティ、媒体アクセス制御エンティティ、又は、該無線リンク制御エンティティと該媒体アクセス制御エンティティとの間のエンティティにおいて、各論理チャネルの前記データユニットを並べる段階、をさらに含む、請求項１に記載の方法。
【請求項９】
少なくとも１つの論理チャネルのデータユニットであって、各々が、送信器において、１つの送信時間区間内に送信され、優先度識別番号を有しない論理チャネルに固有のシーケンス番号に関連付けられた、データユニットを、受信器において受信する段階と、
受信器において各論理チャネルの前記データユニットを前記論理チャネルに固有のシーケンス番号に従って並べる段階と、
を含むことを特徴とする方法。
【請求項１０】
ユーザ端末においてシーケンス番号に関連付けられた少なくとも１つの論理チャネルのデータユニットを、ネットワークインフラストラクチャにおいて受信する段階と、
前記ネットワークインフラストラクチャにおいて、前記データユニットに関連付けられた前記シーケンス番号の順序に前記データユニットを並べる段階と、
をさらに含む、請求項９に記載の方法。
【請求項１１】
媒体アクセス制御エンティティにおいて、前記データユニットを該データユニットに関連付けられた前記シーケンス番号の順序に並べる段階、をさらに含む、請求項９に記載の方法。
【請求項１２】
コンピュータにより読み取り可能な媒体に実装され、方法を実行するプロセッサを制御するためのプログラムコードを具備する、コンピュータプログラムであって、
前記方法が、送信器の媒体アクセス制御エンティティにおいて、論理チャネルの各データユニットを、優先度識別番号を有しない論理チャネルに固有のシーケンス番号に関連付ける段階、を含む、ことを特徴とするコンピュータプログラム。
【請求項１３】
前記方法が、送信器の前記媒体アクセス制御エンティティにおいて、論理チャネルの各データユニットをシーケンス番号に関連付ける段階を含む、請求項１２に記載のコンピュータプログラム。
【請求項１４】
各論理チャネルのデータユニットが、送信器の媒体アクセス制御エンティティ、無線リンク制御エンティティ、又は、該無線リンク制御エンティティと該媒体アクセス制御エンティティとの間のエンティティにおいて、シーケンス番号に関連付けられる、請求項１２に記載のコンピュータプログラム。
【請求項１５】
各論理チャネルの前記データユニットが、媒体アクセス制御エンティティ、無線リンク制御エンティティ、又は、該無線リンク制御エンティティと該媒体アクセス制御エンティティとの間のエンティティにおいて、前記シーケンス番号に従った順番に並べられる、請求項１２に記載のコンピュータプログラム。
【請求項１６】
コンピュータにより読み取り可能な媒体に実装され、方法を実行するプロセッサを制御するためのプログラムコードを具備する、コンピュータプログラムであって、
前記方法が、受信器の媒体アクセス制御エンティティにおいて、各論理チャネルのデータユニットを前記シーケンス番号の順序に並べる段階を含み、
論理チャネルの各データユニットが、送信器の媒体アクセス制御エンティティにおいて、優先度識別番号を有しない論理チャネルに固有のシーケンス番号に関連付けられたものである、
ことを特徴とするコンピュータプログラム。
【請求項１７】
各論理チャネルの前記データユニットが、媒体アクセス制御エンティティ、無線リンク制御エンティティ、又は、無線リンク制御エンティティと媒体アクセス制御エンティティとの間のエンティティにおいて、前記シーケンス番号の順序に並べられる、請求項１６に記載のコンピュータプログラム。
【請求項１８】
論理チャネルの各データユニットを媒体アクセス制御エンティティにおいて優先度識別番号を有しない論理チャネルに固有のシーケンス番号に関連付けるように構成された関連付けユニットを具備する、ことを特徴とする装置。
【請求項１９】
前記関連付けユニットが、論理チャネルにおいて、共通の送信シーケンス番号を有する第１の媒体アクセス制御エンティティのプロトコルデータユニットの送信シーケンスに関連する情報を、前記第１の媒体アクセス制御エンティティの下に位置する第２の媒体アクセス制御エンティティのヘッダに付加する、ように構成されている、請求項１８に記載の装置。
【請求項２０】
前記関連付けユニットが、媒体アクセス制御エンティティ、無線リンク制御エンティティ、又は、無線リンク制御エンティティと媒体アクセス制御エンティティとの間のエンティティにおいて、各論理チャネルのデータユニットをシーケンス番号に関連付ける、ように構成されている、請求項１８に記載の装置。
【請求項２１】
送信器と、該送信器における媒体アクセス制御エンティティと、を具備し、
前記媒体アクセス制御エンティティが、論理チャネルの各データユニットを優先度識別番号を有しない論理チャネルに固有のシーケンス番号に関連付けるように構成されている、ことを特徴とするシステム。
【請求項２２】
ユーザ端末が、論理チャネルにおいて、共通の送信シーケンス番号を有する第１の媒体アクセス制御エンティティのプロトコルデータユニットの送信シーケンスに関する情報を、該第１の媒体アクセス制御エンティティの下に位置する第２の媒体アクセス制御エンティティのヘッダに付加する、ように構成されている、請求項２１に記載のシステム。
【請求項２３】
受信器と、該受信器とエアインタフェイスを介して通信する少なくとも１つの送信器と、を具備し、
前記受信器が、少なくとも１つの論理チャネルのデータユニットであって、各々が、１つの送信時間区間に送信され、優先度識別番号を有しない論理チャネルに固有のシーケンス番号に関連付けられた、データユニットを、受信するように構成され、
前記受信器が、各論理チャネルの前記データユニットを前記シーケンス番号の順番に並べるように構成された、
ことを特徴とするシステム。
【請求項２４】
受信器と、該受信器とエアインタフェイスを介して通信する少なくとも１つの送信器と、を具備し、
前記受信器が、シーケンス番号に関連付けられた少なくとも１つの論理チャネルのデータユニットを受信するように構成され、
前記受信器が、各論理チャネルの前記データユニットを前記シーケンス番号の順番に並べるように構成された、
ことを特徴とするシステム。
【請求項２５】
共通の送信シーケンス番号を有する第１の媒体アクセス制御エンティティのプロトコルデータユニットの送信シーケンスに関する情報が、論理チャネルにおいて、該第１の媒体アクセス制御エンティティの下に位置する第２の媒体アクセス制御エンティティのヘッダに付加されている、請求項１２に記載のコンピュータプログラム。
【請求項２６】
拡張されたアップリンク個別チャネルを用いてデータユニットを送信するように構成された送信器をさらに具備する、請求項１８に記載の装置。
【請求項２７】
１つの送信時間区間内に送信すべき論理チャネルの各データユニットを、優先度識別番号を有しない１つの論理チャネルに固有のシーケンス番号に関連付けるように構成された関連付けユニット、を具備することを特徴とする装置。
【請求項２８】
１つの送信時間区間内に送信すべき論理チャネルの各データユニットを、送信器において、優先度識別番号を有しない１つの論理チャネルに固有のシーケンス番号に関連付ける段階、を含むことを特徴とする方法。
【請求項２９】
１つのインクリメントした送信時間区間につき多くとも１つだけシーケンス番号がインクリメントされるように、送信器において論理チャネルの各データユニットをシーケンス番号に関連付ける段階、をさらに含む、請求項２８に記載の方法。
【請求項３０】
コンピュータにより読み取り可能な媒体に実装され、方法を実行するプロセッサを制御するプログラムコードを具備する、コンピュータプログラムであって、
前記方法が、１つの送信時間区間内に送信すべき論理チャネルの各データユニットを、送信器において、優先度識別番号を有しない１つの論理チャネルに固有のシーケンス番号に関連付ける段階、を含む、ことを特徴とするコンピュータプログラム。
【請求項３１】
１つの送信時間区間内に送信すべき論理チャネルの各データユニットを、優先度識別番号を有しない１つの論理チャネルに固有のシーケンス番号に関連付けるように構成された送信器、を具備することを特徴とするシステム。
【請求項３２】
少なくとも１つの論理チャネルのデータユニットであって、各々が、送信器において、１つの送信時間区間内に送信され、優先度識別番号を有しない１つの論理チャネルに固有のシーケンス番号に関連付けられた、データユニットを、前記送信器から受信するように構成された受信器と、
前記データユニットに関連付けられた前記シーケンス番号に従った順番に各論理チャネルの前記データユニットを並べるように構成されたアレンジャーと、
を具備することを特徴とする装置。
【請求項３３】
ネットワークインフラストラクチャの一部である、請求項３２に記載の装置。
【請求項３４】
少なくとも１つの論理チャネルのデータユニットであって、各々が、送信器の媒体アクセス制御エンティティにおいて、優先度識別番号を有しない１つの論理チャネルに固有のシーケンス番号に関連付けられたデータユニットを、前記送信器から受信するように構成された受信器と、
各論理チャネルの前記データユニットを該データユニットに関連付けられた前記シーケンス番号に従った順番に並べるアレンジャと、
を具備することを特徴とする装置。
【請求項３５】
コンピュータにより読み取り可能な媒体に実装され、方法を実行するプロセッサを制御するためのプログラムコードを具備したコンピュータプログラムであって、
前記方法が、各論理チャネルのデータユニットであって、各々が、送信器において、１つの送信時間区間内に送信され、優先度識別番号を有しない論理チャネルに固有のシーケンス番号に関連付けられたデータユニットを、前記シーケンス番号の順番に受信器において並べる段階、を含む、ことを特徴とするコンピュータプログラム。
【請求項３６】
各論理チャネルのデータユニットであって、各々が送信器において優先度識別番号を有しない論理チャネルに固有のシーケンス番号に関連付けられたデータユニットを、前記シーケンス番号の順番に受信器において並べる段階、を含むことを特徴とする方法。
【請求項３７】
送信器である請求項１８に記載の装置。
【請求項３８】
前記送信器がユーザ端末である請求項３７に記載の装置。
【請求項３９】
前記送信器がネットワーク要素である請求項３７に記載の装置。
【請求項４０】
前記受信器がユーザ端末である請求項３２に記載の装置。
【請求項４１】
前記受信器がネットワーク要素である請求項３４に記載の装置。
【請求項４２】
前記送信器が、
論理チャネルにおいて、共通の送信シーケンス番号を有する第１の媒体アクセス制御エンティティのプロトコルデータユニットの送信シーケンスに関する情報を、該第１の媒体アクセス制御エンティティの下に位置する第２の媒体アクセス制御エンティティのヘッダに付加するように構成された、関連付けユニットを具備する、請求項３１に記載のシステム。
【請求項４３】
前記関連付けユニットが、１つの送信時間区間のデータユニットを連続するシーケンス番号に関連付けるように構成され、
前記関連付けユニットが、連続する送信時間区間におけるデータユニットを連続するシーケンス番号に関連付けるように構成されている、請求項１８に記載の装置。
【請求項４４】
媒体アクセス制御-ｄエンティティからの媒体アクセス制御-フローを媒体アクセス制御-ｅエンティティにマッピングするように構成され、
前記関連付けユニットが、データユニットを媒体アクセス制御-ｄエンティティ及び媒体アクセス-ｅエンティティに共通のシーケンス番号に関連付けるように構成されている、請求項１８に記載の装置。
【請求項４５】
論理チャネルの少なくとも１つのデータユニットを含む少なくとも１つの再送信を前記エアインタフェイスを介して実行するように構成された、請求項２７に記載の装置。
【請求項４６】
前記関連付けユニットが、１つのインクリメントした送信時間区間につき多くとも１つだけシーケンス番号がインクリメントされるよう、送信器において論理チャネルの各データユニットをシーケンス番号に関連付けるように構成されている、請求項２７に記載の装置。
【請求項４７】
無線リンク制御エンティティ、媒体アクセス制御エンティティ、又は、該無線リンク制御エンティティと該媒体アクセス制御エンティティとの間のエンティティにおいて、各論理チャネルの前記データユニットを並べる段階、をさらに含む、請求項３６に記載の方法。
【請求項４８】
ネットワークインフラストラクチャにおいてシーケンス番号に関連付けられた少なくとも１つの論理チャネルのデータユニットを、ユーザ端末において受信する段階と、
前記ユーザ端末において、前記データユニットを該データユニットに関連付けられた前記シーケンス番号の順番に並べる段階と、
をさらに含む、請求項９に記載の方法。
【請求項４９】
ユーザ端末においてシーケンス番号に関連付けられた少なくとも１つの論理チャネルのデータユニットを、ネットワークインフラストラクチャにおいて受信する段階と、
前記データユニットを該データユニットに関連付けられた前記シーケンス番号の順番に前記ネットワークインフラストラクチャにおいて並べる段階と、
をさらに含む、請求項３６に記載の方法。
【請求項５０】
ネットワークインフラストラクチャにおいてシーケンス番号に関連付けられた少なくとも１つの論理チャネルのデータユニットを、ユーザ端末において受信する段階と、
前記データユニットを該データユニットに関連付けられた前記シーケンス番号の順番に前記ユーザ端末において並べる段階と、
をさらに含む、請求項３６に記載の方法。
【請求項５１】
各論理チャネルの前記データユニットを、媒体アクセス制御エンティティ、無線リンク制御エンティティ、又は、無線リンク制御エンティティと媒体アクセス制御エンティティとの間のエンティティにおいて、前記シーケンス番号の順番に並べる段階、をさらに含む請求項９に記載の方法。
【請求項５２】
各論理チャネルの前記データユニットを、媒体アクセス制御エンティティ、無線リンク制御エンティティ、又は、無線リンク制御エンティティと媒体アクセス制御エンティティとの間のエンティティにおいて、前記シーケンス番号の順番に並べる段階、をさらに含む請求項３６に記載の方法。
【請求項５３】
ユーザ端末において各データユニットを関連付ける段階、をさらに含む、請求項１に記載の方法。
【請求項５４】
ネットワークインフラストラクチャにおいて各データユニットを関連付ける段階、をさらに含む、請求項１に記載の方法。
【請求項５５】
ユーザ端末において各データユニットを関連付ける段階、をさらに含む、請求項２８に記載の方法。
【請求項５６】
ネットワークインフラストラクチャにおいて各データユニットを関連付ける段階、をさらに含む、請求項２８に記載の方法。
【請求項５７】
前記方法が、
１つの送信時間区間のデータユニットを連続するシーケンス番号に関連付ける段階と、
連続する送信時間区間のデータユニットを連続するシーケンス番号に関連付ける段階と、
をさらに含む、請求項１２に記載のコンピュータプログラム。
【請求項５８】
前記方法が、
媒体アクセス制御-ｄエンティティからの媒体アクセス制御-ｅフローを媒体アクセス制御-ｅエンティティにおけるトランスポートチャネルにマッピングする段階と、
データユニットを媒体アクセス制御-ｄエンティティ及び媒体アクセス-ｅエンティティに共通のシーケンス番号に関連付ける段階と、
をさらに含む、請求項１２に記載のコンピュータプログラム。
【請求項５９】
前記方法が、
論理チャネルにおいて、共通の送信シーケンス番号を有する第１の媒体アクセス制御エンティティのプロトコルデータユニットの送信シーケンスに関する情報を、該第１の媒体アクセス制御エンティティの下に位置する第２の媒体アクセス制御エンティティのヘッダに付加する段階、をさらに含む、請求項１２に記載のコンピュータプログラム。
【請求項６０】
前記方法が、拡張されたアップリンク個別チャネルを用いて前記データユニットを送信する段階、をさらに含む、請求項１２に記載のコンピュータプログラム。
【請求項６１】
前記方法が、１つの送信時間区間内に送信すべき論理チャネルの各データユニットを、媒体アクセス制御エンティティ、無線リンク制御エンティティ、又は、該無線リンク制御エンティティと該媒体アクセス制御エンティティとの間のエンティティにおいて、１つのシーケンス番号に関連付ける段階、をさらに含む、請求項３０に記載のコンピュータプログラム。
【請求項６２】
前記方法が、各論理チャネルの前記データユニットを、無線リンク制御エンティティ、媒体アクセス制御エンティティ、又は、該無線リンク制御エンティティと該媒体アクセス制御エンティティとの間のエンティティにおいて、並べる段階、をさらに含む、請求項１６に記載のコンピュータプログラム。
【請求項６３】
前記方法が、
ネットワークインフラストラクチャにおいてシーケンス番号に関連付けられた少なくとも１つの論理チャネルのデータユニットを、ユーザ端末において受信する段階と、
前記データユニットを該データユニットに関連付けられた前記シーケンス番号の順番に前記ユーザ端末において並べる段階と、
をさらに含む、請求項３５に記載のコンピュータプログラム。
【請求項６４】
前記方法が、
ユーザ端末においてシーケンス番号に関連付けられた少なくとも１つの論理チャネルのデータユニットを、ネットワークインフラストラクチャにおいて受信する段階と、
前記データユニットを該データユニットに関連付けられた前記シーケンス番号の順番に前記ネットワークインフラストラクチャにおいて並べる段階と、
をさらに含む、請求項１６に記載のコンピュータプログラム。
【請求項６５】
前記方法が、
ネットワークインフラストラクチャにおいてシーケンス番号に関連付けられた少なくとも１つの論理チャネルのデータユニットを、ユーザ端末において受信する段階と、
前記データユニットを該データユニットに関連付けられた前記シーケンス番号の順番に前記ユーザ端末において並べる段階と、
をさらに含む、請求項１６に記載のコンピュータプログラム。
【請求項６６】
前記方法が、
各論理チャネルの前記データユニットを、媒体アクセス制御エンティティ、無線リンク制御エンティティ、又は、無線リンク制御エンティティと媒体アクセス制御エンティティとの間のエンティティにおいて、前記シーケンス番号の順番に並べる段階、をさらに含む、請求項３５に記載のコンピュータプログラム。
【請求項６７】
前記方法が、各論理チャネルの前記データユニットを、媒体アクセス制御エンティティ、無線リンク制御エンティティ、又は、無線リンク制御エンティティと媒体アクセス制御エンティティとの間のエンティティにおいて、前記シーケンス番号の順番に並べる段階、をさらに含む、請求項１６に記載のコンピュータプログラム。